(57)【要約】【課題】有機発光素子、それを含む有機発光表示装置、及び有機発光素子を両面発光制御する方法を提供する。【解決手段】該有機発光素子は、対向する第１電極及び第２電極と、第１電極と第２電極との間に位置した共通電極と、第１電極と共通電極との間に位置した第１有機層と、第２電極と共通電極との間に位置し共通電極を基準にして第１有機層と逆対称構造を有する第２有機層と、を含む。【選択図】図５
2014120475.tif 000002
【特許請求の範囲】
【請求項１】
対向する第１電極及び第２電極と、
前記第１電極と前記第２電極との間に位置した共通電極と、
前記第１電極と前記共通電極との間に位置した第１有機層と、
前記第２電極と前記共通電極との間に位置し前記共通電極を基準にして前記第１有機層と逆対称構造を有する第２有機層と、を含む両面発光有機発光素子。
【請求項２】
前記第１有機層が、前記第１電極に近い側から順に、正孔注入層、正孔輸送層、発光層、電子輸送層及び電子注入層を含み、
前記第２有機層が、前記第２電極に近い側から順に、電子注入層、電子輸送層、発光層、正孔輸送層、正孔注入層を含むことを特徴とする請求項１に記載の両面発光有機発光素子。
【請求項３】
前記第１電極が下部電極であり、前記第２電極が上部電極であることを特徴とする請求項１または２に記載の両面発光有機発光素子。
【請求項４】
前記第１電極が上部電極であり、前記第２電極が下部電極であることを特徴とする請求項１から３のいずれか一項に記載の両面発光有機発光素子。
【請求項５】
前記第１電極と前記第２電極とに第１電源電圧が印加され、前記共通電極に第２電源電圧が印加され、
前記第１電源電圧及び前記第２電源電圧のうち少なくとも一方が可変することにより、前記共通電極が電子注入電極または正孔注入電極として機能することを特徴とする請求項１から４のいずれか一項に記載の両面発光有機発光素子。
【請求項６】
前記第１電極及び前記第２電極が、透明電極または半透明電極であることを特徴とする請求項１から５のいずれか一項に記載の両面発光有機発光素子。
【請求項７】
前記共通電極が、反射電極であることを特徴とする請求項１から６のいずれか一項に記載の両面発光有機発光素子。
【請求項８】
前記第１電極及び前記第２電極のうち一方が、基板上部に形成されたことを特徴とする請求項１から７のいずれか一項に記載の両面発光有機発光素子。
【請求項９】
有機発光素子の両面発光制御方法において、
前記有機発光素子が、第１電極、第２電極、前記第１電極及び第２電極の間に二重に積層された１対の有機層、及び前記１対の有機層を区分するように前記第１電極及び第２電極の間に位置した共通電極を含み、
前記両面発光制御方法が、
前記第１電極と前記第２電極とに第１電源電圧を印加する段階と、
前記共通電極に第２電源電圧を印加する段階と、を含み、
前記第１電源電圧及び前記第２電源電圧のうち少なくとも一方を可変し、前記１対の有機層を相互に発光させることにより、第１電極方向と第２電極方向とに相互に光を放出させる有機発光素子の両面発光制御方法。
【請求項１０】
前記第２電源電圧を印加する段階が、
前記共通電極に、前記第１電源電圧より高いレベルと低いレベルとの第２電源電圧を相互に印加する段階を含むことを特徴とする請求項９に記載の有機発光素子の両面発光制御方法。
【請求項１１】
前記第１電源電圧を印加する段階が、
前記第１電極と前記第２電極とに、前記第２電源電圧より高いレベルと低いレベルとの第１電源電圧を相互に印加する段階を含むことを特徴とする請求項９に記載の有機発光素子の両面発光制御方法。
【請求項１２】
前記第１電源電圧を印加する段階が、第１レベルと、前記第１レベルより高い第２レベルとの第１電源電圧を相互に印加する段階を含み、
前記第２電源電圧を印加する段階が、前記第１レベルと前記第２レベルとの第２電源電圧を、前記第１電源電圧と反転させて相互に印加する段階を含むことを特徴とする請求項９に記載の有機発光素子の両面発光制御方法。
【請求項１３】
第１電極、第２電極、前記第１電極及び第２電極の間に位置した共通電極、及び前記第１電極及び第２電極の間に前記共通電極を基準にして逆対称構造である１対の有機層を含む複数の有機発光素子と、
前記第１電極と前記第２電極とに第１電源電圧を印加し、前記共通電極に第２電源電圧を印加し、前記第１電源電圧及び前記第２電源電圧のうち少なくとも一方を可変する電源供給部と、を含み、
前記複数の有機発光素子のそれぞれが、可変する前記第１電源電圧及び前記第２電源電圧により、第１電極方向または第２電極方向に発光する有機発光表示装置。
【請求項１４】
前記電源供給部が、
前記第１電源電圧を固定し、前記共通電極に、前記第１電源電圧より高いレベルと低いレベルとの第２電源電圧を相互に印加することを特徴とする請求項１３に記載の有機発光表示装置。
【請求項１５】
前記電源供給部が、
前記第２電源電圧を固定し、前記第１電極と前記第２電極とに、前記第２電源電圧より高いレベルと低いレベルとの第１電源電圧を相互に印加することを特徴とする請求項１３に記載の有機発光表示装置。
【請求項１６】
前記電源供給部が、
第１レベルと、前記第１レベルより高い第２レベルとの第１電源電圧を相互に印加し、同時に前記第１レベルと前記第２レベルとの第２電源電圧を、前記第１電源電圧と反転させて相互に印加することを特徴とする請求項１３に記載の有機発光表示装置。
【請求項１７】
前記第１電源電圧及び第２電源電圧のうち少なくとも一方が、フレームごとに可変することを特徴とする請求項１３から１６のいずれか一項に記載の有機発光表示装置。
【請求項１８】
前記第１電源電圧及び第２電源電圧のうち少なくとも一方は、１フレーム内で可変することを特徴とする請求項１３から１６のいずれか一項に記載の有機発光表示装置。
【請求項１９】
前記第１電極及び前記第２電極のうち一方が、基板上部に形成されたことを特徴とする請求項１３から１８のいずれか一項に記載の有機発光表示装置。
【請求項２０】
前記第１電極及び前記第２電極が、透明電極または半透明電極であり、
前記共通電極が、反射電極であることを特徴とする請求項１３から１９のいずれか一項に記載の有機発光表示装置。
【発明の詳細な説明】
【技術分野】
【０００１】
本発明は、有機発光素子、それを含む有機発光表示装置、及び有機発光素子を両面発光制御する方法に関する。
【背景技術】
【０００２】
平板表示装置（ｆｌａｔ  ｐａｎｅｌ  ｄｉｓｐｌａｙ  ｄｅｖｉｃｅ）において、有機発光表示装置（ｏｒｇａｎｉｃ  ｌｉｇｈｔ  ｅｍｉｔｔｉｎｇ  ｄｉｓｐｌａｙ  ｄｅｖｉｃｅ）は、有機化合物を電気的に励起させて発光させる自発光型表示装置である。かような有機発光表示装置は、低温製作が可能であり、高速の応答速度を有し、消費電力が低く、自体発光であるので、視野角が広い。また、有機発光表示装置は、高いコントラスト（ｃｏｎｔｒａｓｔ）特性を示し、液晶表示装置（ＬＥＤ：ｌｉｑｕｉｄ  ｃｒｙｓｔａｌ  ｄｉｓｐｌａｙ）のようなバックライトが必要ではなく、軽量化／薄型化が可能であり、均一な面発光特性及び製造の便利性によって、携帯電話などに使用されている。
【０００３】
最近、かような有機発光表示装置の発光方式を、前面発光と背面発光とを同時に具現することができる両面発光方式にする研究が進められている。単一パネルで、有機発光素子の２つの電極の透過度を調節して両面発光する有機発光表示装置には、前面及び背面の画像が反転してしまうという短所がある。一方、２枚のパネルを製作して付着させる方式には、２枚のパネルを単純に接合したものであり、製作コスト、厚み、消費電力などの問題点がある。
【発明の概要】
【発明が解決しようとする課題】
【０００４】
本発明が解決しようとする課題は、単一パネルを利用して、両面で、同一または異なる映像を、選択的あるいは同時に提供することにより、装着空間を狭めながら、ユーザに多様な表示モードを提供するものである。
【課題を解決するための手段】
【０００５】
前記課題を解決するために、本発明の両面発光有機発光素子は、対向する第１電極及び第２電極；前記第１電極と前記第２電極との間に位置した共通電極；前記第１電極と前記共通電極との間に位置した第１有機層；及び前記第２電極と前記共通電極との間に位置し、前記共通電極を基準にして、前記第１有機層と逆対称構造を有する第２有機層；を含んでもよい。
【０００６】
前記第１有機層は、前記第１電極に近い側から順に、正孔注入層、正孔輸送層、発光層、電子輸送層及び電子注入層を含み、前記第２有機層は、前記第２電極に近い側から順に、電子注入層、電子輸送層、発光層、正孔輸送層、正孔注入層を含んでもよい。
【０００７】
前記第１電極が下部電極であり、前記第２電極が上部電極であるか、前記第１電極が上部電極であり、前記第２電極が下部電極でもある。
【０００８】
前記第１電極と前記第２電極とに第１電源電圧が印加され、前記共通電極に第２電源電圧が印加され、前記第１電源電圧及び前記第２電源電圧のうち少なくとも一方が可変することにより、前記共通電極が電子注入電極または正孔注入電極として機能することができる。
【０００９】
前記第１電極及び前記第２電極は、透明電極または半透明電極であり、前記共通電極は、反射電極でもある。
【００１０】
前記第１電極及び前記第２電極のうち一方が基板上部に形成されてもよい。
【００１１】
前記課題を解決するために、本発明の有機発光素子を両面発光制御する方法において、前記有機発光素子は、第１電極、第２電極、前記第１電極及び第２電極の間に二重に積層された１対の有機層、及び前記１対の有機層を区分し、前記第１電極及び第２電極の間に位置した共通電極を含み、前記両面発光制御方法は、前記第１電極と前記第２電極とに第１電源電圧を印加する段階と、前記共通電極に第２電源電圧を印加する段階と、を含み、前記第１電源電圧及び前記第２電源電圧のうち少なくとも一方を可変し、前記１対の有機層を相互に発光させることにより、前記第１電極方向と前記第２電極方向とに相互に光を放出させることができる。
【００１２】
前記第２電源電圧の印加段階は、前記共通電極に、前記第１電源電圧より高いレベルと低いレベルとの第２電源電圧を相互に印加する段階を含んでもよい。
【００１３】
前記第１電源電圧の印加段階は、前記第１電極と前記第２電極とに、前記第２電源電圧より高いレベルと低いレベルとの第１電源電圧を相互に印加する段階を含んでもよい。
【００１４】
前記第１電源電圧の印加段階は、第１レベルと、前記第１レベルより高い第２レベルとの第１電源電圧を相互に印加する段階を含み、前記第２電源電圧の印加段階は、前記第１レベルと前記第２レベルとの第２電源電圧を、前記第１電源電圧と反転させて相互に印加する段階を含んでもよい。
【００１５】
前記課題を解決するために、本発明の有機発光表示装置は、第１電極及び第２電極、前記第１電極及び第２電極の間に位置した共通電極、及び前記第１電極及び第２電極の間に前記共通電極を基準にして、逆対称構造である１対の有機層を含む複数の有機発光素子；及び前記第１電極と前記第２電極とに第１電源電圧を印加し、前記共通電極に第２電源電圧を印加し、前記第１電源電圧及び前記第２電源電圧のうち少なくとも一方を可変する電源供給部；を含み、前記複数の有機発光素子それぞれは、前記可変する第１電源電圧及び第２電源電圧によって、第１電極方向または第２電極方向に発光することができる。
【００１６】
前記電源供給部は、前記第１電源電圧を固定し、前記共通電極に、前記第１電源電圧より高いレベルと低いレベルとの第２電源電圧を相互に印加することができる。
【００１７】
前記電源供給部は、前記第２電源電圧を固定し、前記第１電極と前記第２電極とに、前記第２電源電圧より高いレベルと低いレベルとの第１電源電圧を相互に印加することができる。
【００１８】
前記電源供給部は、第１レベルと、前記第１レベルより高い第２レベルとの第１電源電圧を相互に印加し、同時に前記第１レベルと前記第２レベルとの第２電源電圧を、前記第１電源電圧と反転させて相互に印加することができる。
【００１９】
前記第１電源電圧及び第２電源電圧のうち少なくとも一方は、フレームごとに可変するか、あるいは１フレーム内で可変することができる。
【００２０】
前記第１電極及び前記第２電極のうち一方が基板上部に形成されてもよい。
【００２１】
前記第１電極及び前記第２電極は、透明電極または半透明電極であり、前記共通電極は、反射電極でもある。
【発明の効果】
【００２２】
本発明の実施形態による有機発光表示装置は、映像反転、または２枚のパネル製作必要などの既存の両面ディスプレイ装置の問題点を解消し、単一ピクセルで、映像反転なしに両面発光させ、両面ディスプレイ装置を具現することができる。
【図面の簡単な説明】
【００２３】
【図１】本発明の一実施形態による有機発光表示装置を概略的に図示したブロック図である。
【図２】本発明の一実施形態による図１の各ピクセルの等価回路図である。
【図３】本発明の一実施形態による両面ディスプレイ装置の電流密度対電圧特性を図示するグラフである。
【図４】本発明の一実施形態による両面ディスプレイ装置の輝度対電圧特性を図示するグラフである。
【図５】本発明の一実施形態による図２の有機発光素子の構造を概略的に示した断面図である。
【図６】本発明の他の実施形態による図２の有機発光素子の構造を概略的に示した断面図である。
【図７】本発明の一実施形態による有機発光素子の両面発光について説明するためのタイミング図である。
【図８Ａ】図７のタイミング図による有機発光素子の両面発光を示す図面である。
【図８Ｂ】図７のタイミング図による有機発光素子の両面発光を示す図面である。
【図９Ａ】本発明の一実施形態による図５の有機発光素子が、図７のタイミング図によって両面発光するところを示す図面である。
【図９Ｂ】本発明の一実施形態による図５の有機発光素子が、図７のタイミング図によって両面発光するところを示す図面である。
【図１０Ａ】本発明の一実施形態による図６の有機発光素子が図７のタイミング図によって両面発光するところを示す図面である。
【図１０Ｂ】本発明の一実施形態による図６の有機発光素子が図７のタイミング図によって両面発光するところを示す図面である。
【図１１】本発明の他の実施形態による有機発光素子の両面発光について説明するためのタイミング図である。
【図１２Ａ】図１１のタイミング図による有機発光素子の両面発光を示す図面である。
【図１２Ｂ】図１１のタイミング図による有機発光素子の両面発光を示す図面である。
【図１３Ａ】本発明の他の実施形態による図５の有機発光素子が、図１１のタイミング図によって両面発光するところを示す図面である。
【図１３Ｂ】本発明の他の実施形態による図５の有機発光素子が、図１１のタイミング図によって両面発光するところを示す図面である。
【図１４Ａ】本発明の他の実施形態による図６の有機発光素子が、図１１のタイミング図によって両面発光するところを示す図面である。
【図１４Ｂ】本発明の他の実施形態による図６の有機発光素子が、図１１のタイミング図によって両面発光するところを示す図面である。
【図１５】本発明の他の実施形態による有機発光素子の両面発光について説明するためのタイミング図である。
【図１６Ａ】図１５のタイミング図による有機発光素子の両面発光を示す図面である。
【図１６Ｂ】図１５のタイミング図による有機発光素子の両面発光を示す図面である。
【図１７Ａ】本発明の他の実施形態による図５の有機発光素子が、図１５のタイミング図によって両面発光するところを示す図面である。
【図１７Ｂ】本発明の他の実施形態による図５の有機発光素子が、図１５のタイミング図によって両面発光するところを示す図面である。
【図１８Ａ】本発明の他の実施形態による図６の有機発光素子が、図１５のタイミング図によって両面発光するところを示す図面である。
【図１８Ｂ】本発明の他の実施形態による図６の有機発光素子が、図１５のタイミング図によって両面発光するところを示す図面である。
【図１９】本発明の実施形態による両面発光と、比較例による両面発光とについて説明する図面である。
【発明を実施するための形態】
【００２４】
以下、添付した図面を参照し、本発明の多くの実施形態について、本発明が属する技術分野で、当業者が容易に実施することができるように詳細に説明する。本発明は、さまざまに異なる形態に具現されてもよく、ここで説明する実施形態に限定されるものではない。
【００２５】
本発明について明確に説明するために、説明と関係ない部分は省略し、明細書全体を通して、同一または類似した構成要素については、同一の参照符号を付す。
【００２６】
また、図面に示された各構成の大きさ及び厚みは、説明の便宜のために任意に示されており、本発明は、必ずしも図示されたところに限定されるものではない。
【００２７】
図面で、多くの層及び領域を明確に表現するために厚みを拡大して示した。図面で、説明の便宜のために、一部の層及び領域の厚みを誇張して示した。層、膜、領域、プレートなどの部分が、他の部分の「上に」または「上部に」あるとするとき、それは、他の部分の「真上に」にある場合だけではなく、その中間に他の部分がある場合も含む。
【００２８】
また、明細書全体で、ある部分がある構成要素を「含む」というとき、それは、特に断らない限り、他の構成要素を除くものではなく、他の構成要素をさらに含んでもよいということを意味する。また、明細書全体で、「〜上に」というのは、対象部分の上または下に位置することを意味するものであり、必ずしも重力方向を基準にして、上側に位置するということを意味するものではない。
【００２９】
図１は、本発明の一実施形態による有機発光表示装置を概略的に図示したブロック図である。
【００３０】
図１を参照すれば、本発明の有機発光表示装置１０は、ディスプレイパネル１００、スキャンドライバ２００、データドライバ３００、制御部４００及び電源供給部５００を含む。
【００３１】
本発明の有機発光表示装置１０は、単一ディスプレイパネル１００を利用して、両面で同一あるいは異なる画像を、選択的にまたは同時に提供することができる。
【００３２】
ディスプレイパネル１００には、一定に離隔され、行に配列された複数のスキャンラインＳＬ１ないしＳＬｎと、一定に離隔され、列に配列された複数のデータラインＤＬ１ないしＤＬｍとがマトリックス状に配列される。前記スキャンラインＳＬ１ないしＳＬｎと、前記データラインＤＬ１ないしＤＬｍとの交差領域に、ピクセルＰＸがマトリックス方式で配列される。各行で、ピクセルＰＸの配列方向、すなわち、行を選択するためのスキャンラインに沿った方向は行方向として定義され、各列で、ピクセルＰＸの配列方向、すなわち、スキャンラインに直交した方向（データラインに沿った方向）は、列方向として定義される。
【００３３】
スキャンドライバ２００は、多数のスキャンラインＳＬ１ないしＳＬｎを介して、ディスプレイパネル１００にスキャン信号を生成し、順次に供給することができる。
【００３４】
データドライバ３００は、多数のデータラインＤＬ１ないしＤＬｍを介して、ディスプレイパネル１００に、データ信号を順次に供給することができる。データドライバ３００は、制御部４００から入力される階調を有する入力映像データＤＡＴＡを、電圧形態または電流形態のデータ信号に変換する。
【００３５】
制御部４００は、スキャン制御信号ＣＳ１とデータ制御信号ＣＳ２とを生成し、スキャンドライバ２００とデータドライバ３００とにそれぞれ伝達する。それにより、スキャンドライバ２００は、スキャンラインに対して順にスキャン信号を印加し、データドライバ３００は、各ピクセルにデータ信号を印加する。制御部４００は、映像データＤＡＴＡをデータドライバ３００に出力する。
【００３６】
制御部４００は、前面及び背面のうちいずれか一方だけ動作させる単一発光モード、並びに前面及び背面いずれも動作させる両面発光モードで、ディスプレイパネル１００を駆動することができる。両面発光モード時、制御部４００は、ディスプレイパネル１００の前面及び背面が相互に発光して画像を表示するように、電源供給部５００を制御することができる。
【００３７】
電源供給部５００は、バッテリなど外部電源部から入力される電圧を変換し、ディスプレイパネル１００の発光素子を発光させる第１電源電圧Ｖ１と、第２電源電圧Ｖ２とを生成する。電源供給部５００は、前記制御部４００の制御下に、第１電源電圧Ｖ１と、第２電源電圧Ｖ２のうち少なくとも一方を可変し、ディスプレイパネル１００に印加する。電源供給部５００は、直流・直流コンバータ（ＤＣ−ＤＣ  ｃｏｎｖｅｒｔｅｒ）を使用することができる。
【００３８】
図２は、本発明の一実施形態による図１の各ピクセルの等価回路図である。
【００３９】
図２を参照すれば、各ピクセルＰＸ（図１）は、２個の薄膜トランジスタと、１個のキャパシタとを具備することができる。
【００４０】
各ピクセルＰＸは、第１電源電圧Ｖ１と第２電源電圧Ｖ２との間に接続される有機発光素子ＯＬＥＤ、駆動薄膜トランジスタＴＲｄ、スイッチング薄膜トランジスタＴＲｓ、及びストレージキャパシタＣｓｔを含む。
【００４１】
有機発光素子ＯＬＥＤは、前面（ｆｒｏｎｔ  ｓｉｄｅ）または背面（ｂａｃｋ  ｓｉｄｅ）で発光する第１有機発光素子ＯＬＥＤ１、及び反対に背面または前面に発光する第２有機発光素子ＯＬＥＤ２を含む。
【００４２】
ディスプレイパネル１００は、各ピクセルの第１有機発光素子ＯＬＥＤ１と、第２有機発光素子ＯＬＥＤ２とを時分割駆動し、前面及び背面、すなわち、両面に画像を表現する。ここで、前面と背面は、特別に定義されるものではなく、通常ユーザに見える側を前面、その反対側を背面と定義することができる。このとき、前面は、背面発光（ｂｏｔｔｏｍ  ｅｍｉｓｓｉｏｎ）、背面は、前面発光（ｔｏｐ  ｅｍｉｓｓｉｏｎ）でもあり、前面は、前面発光、背面は、前面発光でもある。
【００４３】
駆動薄膜トランジスタＴＲｄは、ピクセルＰＸの発光期間の間、ストレージキャパシタＣｓｔに保存された電圧値に対応し、第１有機発光素子ＯＬＥＤ１または第２有機発光素子ＯＬＥＤ２を経由し、第１電源電圧Ｖ１と第２電源電圧Ｖ２との間で流れる電流量を制御する。駆動薄膜トランジスタＴＲｄのゲート電極は、ストレージキャパシタＣｓｔの第１端子に接続され、そのソース電極は、ストレージキャパシタＣｓｔの第２端子及び第１電源電圧Ｖ１に連結され、そのドレイン電極は、第１有機発光素子ＯＬＥＤ１のアノード電極と、第２有機発光素子ＯＬＥＤ２のカソード電極とに接続される。
【００４４】
スイッチング薄膜トランジスタＴＲｓは、データラインＤＬｊと、駆動薄膜トランジスタＴＲｄとの間に連結され、スキャンラインＳＬｉからスキャン信号Ｓｉが供給されるときにオンにされ、データラインＤＬｊから供給されるデータ信号ＤｊをストレージキャパシタＣｓｔに供給する。ストレージキャパシタＣｓｔは、データ信号Ｄｊに対応する電圧を充電する。すなわち、スイッチング薄膜トランジスタＴＲｓのゲート電極は、スキャンラインＳＬｉに接続され、ソース電極は、データラインＤＬｊに接続される。そして、スイッチング薄膜トランジスタＴＲｓのドレイン電極は、ストレージキャパシタＣｓｔの第１端子に接続される。
【００４５】
第１有機発光素子ＯＬＥＤ１のアノード電極と、第２有機発光素子ＯＬＥＤ２のカソード電極は、駆動薄膜トランジスタＴＲｄを経由し、第１電源電圧Ｖ１に接続される。第１有機発光素子ＯＬＥＤ１のカソード電極と、第２有機発光素子ＯＬＥＤ２のアノード電極は、第２電源電圧Ｖ２に接続される。第１有機発光素子ＯＬＥＤ１のカソード電極と第２有機発光素子ＯＬＥＤ２のアノード電極は、共通電極ＣＥ（図５）である。すなわち、共通電極ＣＥは、第１有機発光素子ＯＬＥＤ１のカソード電極、及び第２有機発光素子ＯＬＥＤ２のアノード電極として機能する。第１有機発光素子ＯＬＥＤ１と、第２有機発光素子ＯＬＥＤ２は、第１電源電圧Ｖ１と、第２電源電圧Ｖ２とが印加されるとき、第１有機発光素子ＯＬＥＤ１と、第２有機発光素子ＯＬＥＤ２とに流れる駆動電流に対応する輝度で発光する。
【００４６】
第１電源電圧Ｖ１は、固定電圧であるか、第１電圧Ｖ１１（図１１）、または第１電圧Ｖ１１より高いレベルを有する第２電圧Ｖ１２（図１１）に可変する電圧でもある。第２電源電圧Ｖ２は、固定電圧であるか、第３電圧Ｖ２１（図７）、または第３電圧Ｖ２１より高いレベルを有する第４電圧Ｖ２２（図７）に可変する電圧でもある。
【００４７】
第１電源電圧Ｖ１と、第２電源電圧Ｖ２とのうち少なくとも一方が可変することにより、第１有機発光素子ＯＬＥＤ１と、第２有機発光素子ＯＬＥＤ２に、相互に順方向バイアス（ｆｏｒｗａｒｄ  ｂｉａｓ）または逆方向バイアス（ｒｅｖｅｒｓｅ  ｂｉａｓ）が行われる。例えば、第１有機発光素子ＯＬＥＤ１が順方向バイアスされるとき、第２有機発光素子ＯＬＥＤ２は、逆方向バイアスされ、第１有機発光素子ＯＬＥＤ１が発光する。一方、第１有機発光素子ＯＬＥＤ１が逆方向バイアスされるとき、第２有機発光素子ＯＬＥＤ２は、順方向バイアスされ、第２有機発光素子ＯＬＥＤ２が発光する。
【００４８】
すなわち、本発明は、第１有機発光素子ＯＬＥＤ１が逆方向バイアスである場合にも、第２有機発光素子ＯＬＥＤ２によって発光し、第２有機発光素子ＯＬＥＤ２が逆方向バイアスである場合にも、第１有機発光素子ＯＬＥＤ１によって発光することにより、両面発光を具現する。
【００４９】
図３は、本発明の一実施形態による両面ディスプレイ装置の電流密度対電圧特性を図示するグラフである。図４は、本発明の一実施形態による両面ディスプレイ装置の輝度対電圧特性を図示するグラフである。
【００５０】
一般的な有機発光素子ＯＬＥＤは、逆方向バイアスされるとき、電流が流れないダイオード特性を示す。一方、本発明の実施形態は、第１有機発光素子ＯＬＥＤ１と、第２有機発光素子ＯＬＥＤ２とを共通電極ＣＥを中心に、逆対称構造（以下で説明する）で構成することにより、図３及び図４に図示されているように、順方向バイアス時の電流フローとほぼ同等に、逆方向バイアス時にも電流が流れる。従って、時分割両面発光が可能である。
【００５１】
図５は、本発明の一実施形態による図２の有機発光素子の構造を概略的に示した断面図である。
【００５２】
図５を参照すれば、本発明の実施形態による有機発光素子ＯＬＥＤは、対向する１対の下部電極ＢＥと上部電極ＴＥとの間に、共通電極ＣＥが配置され、前記共通電極ＣＥを中心に、１対の有機層２０ａ、２０ｂが逆対称構造（以下で説明する）で対面するように配置される。それにより、有機発光素子ＯＬＥＤは、下部電極ＢＥ、共通電極ＣＥ、及び下部電極ＢＥと共通電極ＣＥとの間の第１有機層２０ａで構成される第１有機発光素子ＯＬＥＤ１と、上部電極ＴＥ、共通電極ＣＥ、及び上部電極ＴＥと共通電極ＣＥとの間の第２有機層２０ｂで構成される第２有機発光素子ＯＬＥＤ２と、から構成される。
【００５３】
下部電極ＢＥと上部電極ＴＥは、有機発光素子ＯＬＥＤの両端に位置し、下部電極ＢＥ及び上部電極ＴＥのうち一方は、基板（図示せず）上部に形成されてもよい。各有機層２０ａ、２０ｂから放出された光を透過させるために、下部電極ＢＥ及び上部電極ＴＥは、透明または半透明の伝導性材料からなってもよい。効率的な光透過のために、下部電極ＢＥ及び上部電極ＴＥの透過度が７０％以上であることが望ましい。例えば、下部電極ＢＥ及び上部電極ＴＥは、酸化インジウムスズ（ＩＴＯ）、酸化インジウム亜鉛（ＩＺＯ）、酸化スズ（ＳｎＯ２）または酸化亜鉛（ＺｎＯ）、アルミニウム亜鉛酸化物など、またはそれらの組み合わせによって形成されてもよい。
【００５４】
共通電極ＣＥは、反射電極であって、金属薄膜から形成されてもよい。反射電極の材料としては、リチウム（Ｌｉ）、マグネシウム（Ｍｇ）、銀（Ａｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）またはマグネシウム−銀（Ｍｇ−Ａｇ）などを使用することができる。
【００５５】
下部電極ＢＥ及び上部電極ＴＥは、電源供給部５００から同一の第１電源電圧Ｖ１を印加され、共通電極ＣＥは、電源供給部５００から第２電源電圧Ｖ２を印加される。第１電源電圧Ｖ１と、第２電源電圧Ｖ２との電圧レベルによって、下部電極ＢＥ、上部電極ＴＥ及び共通電極ＣＥは、正孔注入電極または電子注入電極として機能することができる。
第１有機層２０ａは、下部電極ＢＥに近い方から、正孔注入層（ＨＩＬ：ｈｏｌｅ  ｉｎｊｅｃｔｉｏｎ  ｌａｙｅｒ）２１ａ、正孔輸送層（ＨＴＬ：ｈｏｌｅ  ｔｒａｎｓｆｅｒ  ｌａｙｅｒ）２２ａ、発光層（ＥＭＬ：ｅｍｉｓｓｉｏｎ  ｌａｙｅｒ）２３ａ、電子輸送層（ＥＴＬ：ｅｌｅｃｔｒｏｎ  ｔｒａｎｓｆｅｒ  ｌａｙｅｒ）２４ａ及び電子注入層（ＥＩＬ：ｅｌｅｃｔｒｏｎ  ｉｎｊｅｃｔｉｏｎ  ｌａｙｅｒ）２５ａが順に積層された構造物でもある。
【００５６】
第２有機層２０ｂは、上部電極ＴＥに近い方から、電子注入層（ＥＩＬ）２５ｂ、電子輸送層（ＥＴＬ）２４ｂ、発光層（ＥＭＬ）２３ｂ、正孔輸送層（ＨＴＬ）２２ｂ、及び正孔注入層（ＨＩＬ）２１ｂが順に積層された構造物でもある。
【００５７】
図５の第１有機層２０ａ中の各層の積層順序及び第２有機層２０ｂ中の各層の積層順序から明らかなように、本願において、逆対称構造とは、共通電極ＣＥを基準として、その共通電極ＣＥから下部電極ＢＥに向かう順における第１有機層２０ａ中の各層の積層順序と、共通電極ＣＥから上部電極ＴＥに向かう順における第２有機層２０ｂ中の各層の積層順序が逆になっている構造として定義されるものである。言い換えると、下部電極ＢＥの上に順に積層される第１有機層２０ａ中の各層の積層順序と、共通電極ＣＥの上に順に積層される第１有機層２０ｂ中の各層の積層順序は同じであり、この点において、並進対称性を有するともいえるものである。
【００５８】
正孔注入層２１ａ、２１ｂの物質として、例えば、銅フタロシアニンなどのフタロシアニン化合物；スターバースト型アミン誘導体類である４，４’，４”−トリス（Ｎ−カルバゾリル）トリフェニルアミン（ＴＣＴＡ）、４，４’，４”−トリス（３−メチルフェニルフェニルアミノ）トリフェニルアミン（ｍ−ＭＴＤＡＴＡ）、１，３，５−トリス［４−（３−メチルフェニルフェニルアミノ）フェニル］ベンゼン（ｍ−ＭＴＤＡＰＢ）、ＭｏＯ３；可溶性の伝導性高分子であるポリアニリン／ドデシルベンゼンスルホン酸（Ｐａｎｉ／ＤＢＳＡ）、ポリ（３，４−エチレンジオキシチオフェン）／ポリ（４−スチレンスルホネート）（ＰＥＤＯＴ／ＰＳＳ）、ポリアニリン／カンファースルホン酸（Ｐａｎｉ／ＣＳＡ）またはポリアニリン／ポリ（４−スチレンスルホネート）（ＰＡＮＩ／ＰＳＳ）のような公知の正孔注入物質を使用することができる。
【００５９】
正孔輸送層２２ａ、２２ｂをなす物質は、例えば、Ｎ−フェニルカルバゾール、ポリビニルカルバゾールなどのカルバゾール誘導体；Ｎ，Ｎ’−ビス（３−メチルフェニル）−Ｎ，Ｎ’−ジフェニル−［１，１−ビフェニル］−４，４’−ジアミン（ＴＰＤ）、Ｎ，Ｎ’−ジ（ナフタレン−１−イル）−Ｎ，Ｎ’−ジフェニルベンジジン（α−ＮＰＤ）などの芳香族縮合環を有する一般的なアミン誘導体；のような公知の正孔輸送物質を使用することができる。
【００６０】
発光層２３ａ、２３ｂは、ホスト物質とドーパント物質を含んでもよい。発光層２３ａ、２３ｂのホスト物質としては、トリス（８−キノリノラト）アルミニウム（Ａｌｑ３）、９，１０−ジ（ナフト−２−イル）アントラセン（ＡＮＤ）、３−ｔｅｒｔ−ブチル−９，１０−ジ（ナフト−２−イル）アントラセン（ＴＢＡＤＮ）、４，４’−ビス（２，２−ジフェニル−エテン−１−イル）−４，４’−ジメチルフェニル（ＤＰＶＢｉ）、４，４’−ビス（２，２−ジフェニル−エテン−１−イル）−４，４’−ジメチルフェニル（ｐ−ＤＭＤＰＶＢｉ）、ｔｅｒｔ（９，９−ジアリールフルオレン）（ＴＤＡＦ）、２−（９，９’−スピロビフルオレン−２−イル）−９，９’−スピロビフルオレン（ＢＳＤＦ）、２，７−ビス（９，９’−スピロビフルオレン−２−イル）−９，９’−スピロビフルオレン（ＴＳＤＦ）、ビス（９，９−ジアリールフルオレン）（ＢＤＡＦ）、４，４’−ビス（２，２−ジフェニル−エテン−１−イル）−４，４’−ジ−（ｔｅｒｔ−ブチル）フェニル（ｐ−ＴＤＰＶＢｉ）、１，３−ビス（カルバゾール−９−イル）ベンゼン（ｍＣＰ）、１，３，５−トリス（カルバゾール−９−イル）ベンゼン（ｔＣＰ）、４，４’，４”−トリス（カルバゾール−９−イル）トリフェニルアミン（ＴｃＴａ）、４，４’−ビス（カルバゾール−９−イル）ビフェニル（ＣＢＰ）、４，４’−ビス（９−カルバゾリル）−２，２’−ジメチル−ビフェニル（ＣＢＤＰ）、４，４’−ビス（カルバゾール−９−イル）−９，９−ジメチル−フルオレン（ＤＭＦＬ−ＣＢＰ）、４，４’−ビス（カルバゾール−９−イル）−９，９−ビス（９−フェニル−９Ｈ−カルバゾール）フルオレン（ＦＬ−４ＣＢＰ）、４，４’−ビス（カルバゾール−９−イル）−９，９−ジ−トリル−フルオレン（ＤＰＦＬ−ＣＢＰ）、９，９−ビス（９−フェニル−９Ｈ−カルバゾール）フルオレン（ＦＬ−２ＣＢＰ）などを使用してもよい。発光層２３ａ，２３ｂのドーパント物質としては、４，４’−ビス［４−（ジ−ｐ−トリルアミノ）スチリル］ビフェニル（ＤＰＡＶＢｉ）、９，１０−ジ（ナフト−２−イル）アントラセン（ＡＤＮ）、３−ｔｅｒｔ−ブチル−９，１０−ジ（ナフト−２−イル）アントラセン（ＴＢＡＤＮ）などを使用してもよい。
【００６１】
発光層２３ａ、２３ｂは、赤色サブピクセル、緑色サブピクセル及び青色サブピクセルによって、それぞれ赤色発光層、緑色発光層及び青色発光層でもある。一方、発光層２３ａ、２３ｂが白色光を放出する場合、発光層２３ａ、２３ｂは、白色光を放出するように、赤色発光層、緑色発光層及び青色発光層が積層された多層構造を有するか、あるいは赤色発光物質、緑色発光物質及び青色発光物質を含んだ単一層構造を有することができる。
【００６２】
電子輸送層２４ａ、２４ｂをなす材料は、注入された電子を安定して輸送する機能を行うものであり、オキサゾール系化合物、イソオキサゾール系化合物、トリアゾール系化合物、イソチアゾール（ｉｓｏｔｈｉａｚｏｌｅ）系化合物、オキサジアゾール系化合物、チアジアゾール（ｔｈｉａｄｉａｚｏｌｅ）系化合物、ペリレン（ｐｅｒｙｌｅｎｅ）系化合物、アルミニウム錯体（例：Ａｌｑ３、アルミニウム（ＩＩＩ）ビス（２−メチル−８−ヒドロキシキノリン）−４−フェニルフェノレート（ＢＡｌｑ）、ビス（２−メチル−８−キノリノラト）（トリフェニルシラノラト）アルミニウム（ＳＡｌｑ）、トリス（４−メチル−８−キノリノラト）アルミニウム（Ａｌｍｑ３））、ガリウム錯体（例：Ｇａｑ’２ＯＰｉｖ、Ｇａｑ’２ＯＡｃ、２（Ｇａｑ’２））のような公知の材料を使用することもできる。
【００６３】
電子注入層２５ａ、２５ｂ物質としては、電子注入電極として機能する電極から、電子の注入を容易にする機能を有する物質であるならば、特に材料が制限されるものではない。電子注入層２５ａ、２５ｂとしては、ＬｉＦ、ＮａＣｌ、ＣｓＦ、Ｌｉ２Ｏ、ＢａＯ、ＢａＦ２、ＣｓＣＯ３と２，９−ジメチル−４，７−ジフェニル−１，１０−フェナントロリン（ＢＣＰ）との混合体のような電子注入層形成材料として、公知の任意の物質を利用することができる。電子注入層２５ａ、２５ｂの蒸着条件は、使用する化合物によって異なるが、一般的に、正孔注入層２１ａ、２１ｂの形成とほぼ同一の条件範囲のうちから選択される。
【００６４】
図６は、本発明の他の実施形態による図２の有機発光素子の構造を概略的に示した断面図である。図６に図示された有機発光素子ＯＬＥＤは、図５に図示された有機発光素子ＯＬＥＤと比較し、有機層２０ａ、２０ｂの積層順序が異なる。
【００６５】
本発明の実施形態による有機発光素子ＯＬＥＤは、１対の下部電極ＢＥ及び上部電極ＴＥの間に、共通電極ＣＥが配置され、前記共通電極ＣＥを中心に、１対の有機層２０ａ、２０ｂが逆対称で対面するように配置される。それにより、有機発光素子ＯＬＥＤは、上部電極ＴＥ、共通電極ＣＥ、及び上部電極ＴＥと共通電極ＣＥとの間の第１有機層２０ａで構成される第１有機発光素子ＯＬＥＤ１と、下部電極ＢＥ、共通電極ＣＥ、及び下部電極ＢＥと共通電極ＣＥとの間の第２有機層２０ｂで構成される第２有機発光素子ＯＬＥＤ２とから構成される。
【００６６】
下部電極ＢＥ及び上部電極ＴＥは、有機発光素子ＯＬＥＤの両端に位置し、下部電極ＢＥ及び上部電極ＴＥのうち一方は、基板（図示せず）上部に形成されてもよい。各有機層２０ａ、２０ｂから放出された光を透過させるために、下部電極ＢＥ及び上部電極ＴＥは、透明または半透明の伝導性材料からなるる。効率的な光透過のために、下部電極ＢＥ及び上部電極ＴＥの透過度が７０％以上であることが望ましい。例えば、下部電極ＢＥ及び上部電極ＴＥは、酸化インジウムスズ（ＩＴＯ）、酸化インジウム亜鉛（ＩＺＯ）、酸化スズ（ＳｎＯ２）または酸化亜鉛（ＺｎＯ）、アルミニウム亜鉛酸化物など、またはそれらの組み合わせによって形成されてもよい。
【００６７】
共通電極ＣＥは、金属薄膜であって、反射電極である。反射電極の材料としては、リチウム（Ｌｉ）、マグネシウム（Ｍｇ）、銀（Ａｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）またはマグネシウム−銀（Ｍｇ−Ａｇ）などを使用することができる。
【００６８】
下部電極ＢＥ及び上部電極ＴＥは、電源供給部５００から同一の第１電源電圧Ｖ１を印加され、共通電極ＣＥは、電源供給部５００から第２電源電圧Ｖ２を印加される。第１電源電圧Ｖ１と、第２電源電圧Ｖ２との電圧レベルによって、下部電極ＢＥ、上部電極ＴＥ及び共通電極ＣＥは、正孔注入電極または電子注入電極として機能することができる。
【００６９】
第１有機層２０ａは、上部電極ＴＥに近い方から、正孔注入層（ＨＩＬ）２１ａ、正孔輸送層（ＨＴＬ）２２ａ、発光層（ＥＭＬ）２３ａ、電子輸送層（ＥＴＬ）２４ａ及び電子注入層（ＥＩＬ）２５ａが順に積層された構造物でもある。
【００７０】
第２有機層２０ｂは、下部電極ＢＥに近い方から、電子注入層（ＥＩＬ）２５ｂ、電子輸送層（ＥＴＬ）２４ｂ、発光層（ＥＭＬ）２３ｂ、正孔輸送層（ＨＴＬ）２２ｂ、及び正孔注入層（ＨＩＬ）２１ｂが順に積層された構造物でもある。
【００７１】
第１有機層２０ａと第２有機層２０ｂとを構成する層を形成する物質は、図５の第１有機層２０ａと第２有機層２０ｂとを構成する層を形成する物質と同一であるので、以下では省略する。
【００７２】
図７は、本発明の一実施形態による有機発光素子の両面発光について説明するためのタイミング図である。図８は、図７のタイミング図による有機発光素子の両面発光を示す図面である。
【００７３】
図７、図８Ａ及び図８Ｂを参照すれば、スキャンラインＳＬｉ（図２）からスキャン信号Ｓｉが供給されるとき、スイッチング薄膜トランジスタＴＲｓ（図２）は、ターンオンされ、データラインＤＬｊ（図２）から供給されるデータ信号ＤｊをストレージキャパシタＣｓｔ（図２）に供給する。
【００７４】
このとき、第１電源電圧Ｖ１は、固定され、第２電源電圧Ｖ２は、第３電圧Ｖ２１と第４電圧Ｖ２２とを相互にスイングする。すなわち、第１区間Ｔ１の間、第３電圧Ｖ２１が、第２電源電圧Ｖ２として印加され、第２区間Ｔ２の間、第４電圧Ｖ２２が、第２電源電圧Ｖ２として印加される。第３電圧Ｖ２１は、第１電源電圧Ｖ１より低いレベルの電圧であり、第４電圧Ｖ２２は、第１電源電圧Ｖ１より高いレベルの電圧である。例えば、第１電源電圧Ｖ１は、１２Ｖであり、第３電圧Ｖ２１は、０Ｖであり、第４電圧Ｖ２２は、２４Ｖでもある。第１区間Ｔ１及び第２区間Ｔ２それぞれが、１フレーム区間でもあり、または第１区間Ｔ１と第２区間Ｔ２との和が、１フレーム区間でもある。すなわち、第２電源電圧Ｖ２は、フレームごとに可変するか、あるいは１フレーム内で可変することができる。
【００７５】
第１区間Ｔ１の間、第１電源電圧Ｖ１と第３電圧Ｖ２１とが印加されれば、第１有機発光素子ＯＬＥＤ１は、順方向バイアスされ、第２有機発光素子ＯＬＥＤ２は、逆方向バイアスされる。駆動薄膜トランジスタＴＲｄは、ストレージキャパシタＣｓｔに保存された電圧値に対応し、第１有機発光素子ＯＬＥＤ１を経由し、第１電源電圧Ｖ１と第３電圧Ｖ２１との間で流れる電流量を制御し、それにより、図８Ａに図示されているように、第１有機発光素子ＯＬＥＤ１が発光する。
【００７６】
第２区間のＴ２で、第２電源電圧Ｖ２は、第３電圧Ｖ２１から第４電圧Ｖ２２に遷移する。第２区間Ｔ２の間、第１電源電圧Ｖ１と第４電圧Ｖ２２とが印加されれば、第２有機発光素子ＯＬＥＤ２は、順方向バイアスされ、第１有機発光素子ＯＬＥＤ１は、逆方向バイアスされる。駆動薄膜トランジスタＴＲｄは、ストレージキャパシタＣｓｔに保存された電圧値に対応し、第２有機発光素子ＯＬＥＤ２を経由し、第１電源電圧Ｖ１と第４電圧Ｖ２２との間で流れる電流量を制御し、それにより、図８Ｂに図示されているように、第２有機発光素子ＯＬＥＤ２が発光する。
【００７７】
図９Ａ及び図９Ｂは、本発明の一実施形態による図５の有機発光素子が、図７のタイミング図によって両面発光するところを示す図面である。
【００７８】
図７及び図９Ａを参照すれば、第１区間Ｔ１の間、上部電極ＴＥと下部電極ＢＥとに、固定された第１電源電圧Ｖ１が印加され、共通電極ＣＥに、第３電圧Ｖ２１が第２電源電圧Ｖ２として印加される。それにより、上部電極ＴＥと共通電極ＣＥとの間に形成される第２有機発光素子ＯＬＥＤ２は、逆方向バイアスされ、下部電極ＢＥと共通電極ＣＥとの間に形成される第１有機発光素子ＯＬＥＤ１は、順方向バイアスされる。従って、第１有機発光素子ＯＬＥＤ１の下部電極ＢＥは、正孔注入電極として機能し、共通電極ＣＥは、電子注入電極として機能する。
【００７９】
第１有機発光素子ＯＬＥＤ１の共通電極ＣＥから、電子注入層２５ａ、電子輸送層２４ａを介して電子の移動が発生し、下部電極ＢＥから、正孔注入層２１ａ、正孔輸送層２２ａを介して、正孔の移動が発生する。電子と正孔は、発光層２３ａで結合して励起子（ｅｘｃｉｔｏｎ）を形成し、形成された励起子からのエネルギーによって光が生じる。共通電極ＣＥは、反射電極であるので、生じた光は、下部電極ＢＥ側（前面）に放出される。
【００８０】
図７及び図９Ｂを参照すれば、第２区間Ｔ２の間、上部電極ＴＥと下部電極ＢＥとに、固定された第１電源電圧Ｖ１が印加され、共通電極ＣＥに、第４電圧Ｖ２２が第２電源電圧Ｖ２として印加される。それにより、上部電極ＴＥと共通電極ＣＥとの間に形成される第２有機発光素子ＯＬＥＤ２は、順方向バイアスされ、下部電極ＢＥと共通電極ＣＥとの間に形成される第１有機発光素子ＯＬＥＤ１は、逆方向バイアスされる。従って、第２有機発光素子ＯＬＥＤ１の上部電極ＴＥは、電子注入電極として機能し、共通電極ＣＥは、正孔注入電極として機能する。
【００８１】
第２有機発光素子ＯＬＥＤ２の上部電極ＴＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合し、励起子を形成し、形成された励起子からのエネルギーによって光が生じる。共通電極ＣＥは、反射電極であるので、生じた光は、上部電極ＴＥ側（背面）に放出される。
【００８２】
すなわち、本発明の実施形態は、有機発光素子ＯＬＥＤに印加される第２電源電圧Ｖ２を可変し、相互に前面発光と背面発光とを制御することにより、両面で画像を具現することができる。
【００８３】
図１０及び図１０Ｂは、本発明の一実施形態による図６の有機発光素子が、図７のタイミング図によって両面発光するところを示す図面である。
【００８４】
図７及び図１０Ａを参照すれば、第１区間Ｔ１の間、上部電極ＴＥと下部電極ＢＥとに、固定された第１電源電圧Ｖ１が印加され、共通電極ＣＥに、第３電圧Ｖ２１が第２電源電圧Ｖ２として印加される。それにより、上部電極ＴＥと共通電極ＣＥとの間に形成される第１有機発光素子ＯＬＥＤ１は、順方向バイアスされ、下部電極ＢＥと共通電極ＣＥとの間に形成される第２有機発光素子ＯＬＥＤ２は、逆方向バイアスされる。
【００８５】
従って、第１有機発光素子ＯＬＥＤ１の上部電極ＴＥは、正孔注入電極として機能し、共通電極ＣＥは、電子注入電極として機能する。第１有機発光素子ＯＬＥＤ１の共通電極ＣＥから、電子注入層２５ａ、電子輸送層２４ａを介して電子が注入され、上部電極ＴＥから、正孔注入層２１ａ、正孔輸送層２２ａを介して正孔が注入される。注入された電子と正孔とが発光層２３ａで結合して励起子を形成し、形成された励起子からのエネルギーによって光が生じる。共通電極ＣＥは、反射電極であるので、生じた光は、上部電極ＴＥ側（背面）に放出される。
【００８６】
図７及び図１０Ｂを参照すれば、第２区間Ｔ２の間、上部電極ＴＥと下部電極ＢＥとに、固定された第１電源電圧Ｖ１が印加され、共通電極ＣＥに、第４電圧Ｖ２２が第２電源電圧Ｖ２として印加される。それにより、上部電極ＴＥと共通電極ＣＥとの間に形成される第１有機発光素子ＯＬＥＤ１は、逆方向バイアスされ、下部電極ＢＥと共通電極ＣＥとの間に形成される第２有機発光素子ＯＬＥＤ２は、順方向バイアスされる。
【００８７】
従って、第１有機発光素子ＯＬＥＤ２の下部電極ＢＥは、電子注入電極として機能し、共通電極ＣＥは、正孔注入電極として機能する。第２有機発光素子ＯＬＥＤ２の下部電極ＢＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合して励起子を形成し、形成された励起子からのエネルギーによって光が生じる。共通電極ＣＥは、反射電極であるので、生じた光は、下部電極ＢＥ側（前面）に放出される。
【００８８】
すなわち、本発明の実施形態は、有機発光素子ＯＬＥＤに印加される第２電源電圧Ｖ２を可変し、相互に前面発光と背面発光とを制御することにより、両面で画像を具現することができる。
【００８９】
図１１は、本発明の他の実施形態による有機発光素子の両面発光について説明するためのタイミング図である。図１２Ａ及び図１２Ｂは、図１１のタイミング図による有機発光素子の両面発光を示す図面である。
【００９０】
図１１及び図１２Ａ及び図１２Ｂを参照すれば、スキャンラインＳＬｉ（図２）からスキャン信号Ｓｉが供給されるとき、スイッチング薄膜トランジスタＴＲｓ（図２）は、ターンオンされ、データラインＤＬｊ（図２）から供給されるデータ信号ＤｊをストレージキャパシタＣｓｔ（図２）に供給する。
【００９１】
このとき、第２電源電圧Ｖ２は、固定され、第１電源電圧Ｖ１は、第１電圧Ｖ１１と第２電圧Ｖ１２とを相互にスイングする。すなわち、第１区間Ｔ１の間、第１電圧Ｖ１１が第１電源電圧Ｖ１として印加され、第２区間Ｔ２の間、第２電圧Ｖ１２が第１電源電圧Ｖ１として印加される。第１電圧Ｖ１１は、第２電源電圧Ｖ２より低いレベルの電圧であり、第２電圧Ｖ１２は、第２電源電圧Ｖ２より高いレベルの電圧でもある。例えば、第２電源電圧Ｖ２は、１２Ｖであり、第１電圧Ｖ１１は、０Ｖであり、第２電圧Ｖ１２は、２４Ｖでもある。第１区間Ｔ１及び第２区間Ｔ２それぞれが１フレーム区間でもあり、または第１区間Ｔ１と第２区間Ｔ２との和が１フレーム区間でもある。すなわち、第１電源電圧Ｖ１は、フレームごとに可変するか、あるいは１フレーム内で可変することができる。
第１区間Ｔ１の間、第１電圧Ｖ１１と第２電源電圧Ｖ２とがピクセルＰＸ（図１）に印加されれば、第１有機発光素子ＯＬＥＤ１は、逆方向バイアスされ、第２有機発光素子ＯＬＥＤ２は、順方向バイアスされる。駆動薄膜トランジスタＴＲｄは、ストレージキャパシタＣｓｔ（図２）に保存された電圧値に対応し、第２有機発光素子ＯＬＥＤ２を経由し、第１電圧Ｖ１１と第２電源電圧Ｖ２との間で流れる電流量を制御し、それにより、図１２Ａに図示されているように、第２有機発光素子ＯＬＥＤ２が発光する。
【００９２】
第２区間Ｔ２で、第１電源電圧Ｖ１は、第１電圧Ｖ１１から第２電圧Ｖ１２に遷移する。第２区間Ｔ２の間、第２電圧Ｖ１２と第２電源電圧Ｖ２とがピクセルＰＸ（図１）に印加されれば、第２有機発光素子ＯＬＥＤ２は、逆方向バイアスされ、第１有機発光素子ＯＬＥＤ１は、順方向バイアスされる。駆動薄膜トランジスタＴＲｄは、ストレージキャパシタＣｓｔに保存された電圧値に対応し、第１有機発光素子ＯＬＥＤ１を経由し、第２電圧Ｖ１２と第２電源電圧Ｖ２との間で流れる電流量を制御し、それにより、図１２Ｂに図示されているように、第１有機発光素子ＯＬＥＤ１が発光する。
【００９３】
図１３Ａ及び図１３Ｂは、本発明の他の実施形態による図５の有機発光素子が、図１１のタイミング図によって両面発光するところを示す図面である。
【００９４】
図１１及び図１３Ａを参照すれば、第１区間Ｔ１の間、上部電極ＴＥと下部電極ＢＥとに、第１電圧Ｖ１１が第１電源電圧Ｖ１として印加され、共通電極ＣＥに、固定された第２電源電圧Ｖ２が印加される。それにより、上部電極ＴＥと共通電極ＣＥとの間に形成される第２有機発光素子ＯＬＥＤ２は、順方向バイアスされ、下部電極ＢＥと共通電極ＣＥとの間に形成される第１有機発光素子ＯＬＥＤ１は、逆方向バイアスされる。従って、第２有機発光素子ＯＬＥＤ２の上部電極ＴＥは、電子注入電極として機能し、共通電極ＣＥは、正孔注入電極として機能する。
【００９５】
第２有機発光素子ＯＬＥＤ２の上部電極ＴＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合して励起子を形成し、形成された励起子からのエネルギーによって光が生じる。共通電極ＣＥは、反射電極であるので、生じた光は，上部電極ＴＥ側（背面）に放出される。
【００９６】
図１１及び図１３Ｂを参照すれば、第２区間Ｔ２の間、上部電極ＴＥと下部電極ＢＥとに、第２電圧Ｖ１２が第１電源電圧Ｖ１として印加され、共通電極ＣＥに固定された第２電源電圧Ｖ２が印加される。それにより、上部電極ＴＥと共通電極ＣＥとの間に形成される第２有機発光素子ＯＬＥＤ２は、逆方向バイアスされ、下部電極ＢＥと共通電極ＣＥとの間に形成される第１有機発光素子ＯＬＥＤ１は、順方向バイアスされる。従って、第１有機発光素子ＯＬＥＤ１の下部電極ＢＥは、正孔注入電極として機能し、共通電極ＣＥは、電子注入電極として機能する。
【００９７】
第１有機発光素子ＯＬＥＤ１の共通電極ＣＥから、電子注入層２５ａ、電子輸送層２４ａを介して電子が注入され、下部電極ＢＥから、正孔注入層２１ａ、正孔輸送層２２ａを介して正孔が注入される。注入された電子と正孔とが発光層２３ａで結合して励起子を形成し、形成された励起子からのエネルギーによって光が生じる。共通電極ＣＥは、反射電極であるので、生じた光は、下部電極ＢＥ側（前面）に放出される。
【００９８】
すなわち、本発明の実施形態は、有機発光素子ＯＬＥＤに印加される第１電源電圧Ｖ１を可変し、相互に前面発光と背面発光とを制御することにより、両面で画像を具現することができる。
【００９９】
図１４Ａ及び図１４Ｂは、本発明の他の実施形態による図６の有機発光素子が、図１１のタイミング図によって両面発光するところを示す図面である。
【０１００】
図１１及び図１４Ａを参照すれば、上部電極ＴＥと下部電極ＢＥとに、第１電圧Ｖ１１が第１電源電圧Ｖ１として印加され、共通電極ＣＥに、固定された第２電源電圧Ｖ２が印加される。それにより、下部電極ＢＥと共通電極ＣＥとの間に形成される第２有機発光素子ＯＬＥＤ２は、順方向バイアスされ、上部電極ＴＥと共通電極ＣＥとの間に形成される第１有機発光素子ＯＬＥＤ１は、逆方向バイアスされる。従って、第２有機発光素子ＯＬＥＤ２の下部電極ＢＥは、電子注入電極として機能し、共通電極ＣＥは、正孔注入電極として機能する。
【０１０１】
第２有機発光素子ＯＬＥＤ２の下部電極ＴＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合して励起子を形成し、形成された励起子からのエネルギーによって光が生じる。共通電極ＣＥは、反射電極であるので、生じた光は、下部電極ＢＥ側（前面）に放出される。
【０１０２】
図１１及び図１４Ｂを参照すれば、第２区間Ｔ２の間、上部電極ＴＥと下部電極ＢＥとに、第２電圧Ｖ１２が第１電源電圧Ｖ１として印加され、共通電極ＣＥに固定された第２電源電圧Ｖ２が印加される。それにより、下部電極ＢＥと共通電極ＣＥとの間に形成される第２有機発光素子ＯＬＥＤ２は、逆方向バイアスされ、上部電極ＴＥと共通電極ＣＥとの間に形成される第１有機発光素子ＯＬＥＤ１は、順方向バイアスされる。従って、第１有機発光素子ＯＬＥＤ１の上部電極ＴＥは、正孔注入電極として機能し、共通電極ＣＥは、電子注入電極として機能する。
【０１０３】
第１有機発光素子ＯＬＥＤ１の共通電極ＣＥから、電子注入層２５ａ、電子輸送層２４ａを介して電子が注入され、上部電極ＴＥから、正孔注入層２１ａ、正孔輸送層２２ａを介して正孔が注入される。注入された電子と正孔とが発光層２３ａで結合して励起子を形成し、形成された励起子からのエネルギーによって光が生じる。共通電極ＣＥは、反射電極であるので、生じた光は、上部電極ＴＥ側（背面）に放出される。
【０１０４】
すなわち、本発明の実施形態は、有機発光素子ＯＬＥＤに印加される第１電源電圧Ｖ１を可変し、相互に前面発光と背面発光とを制御することにより、両面で画像を具現することができる。
【０１０５】
図１５は、本発明の他の実施形態による有機発光素子の両面発光について説明するためのタイミング図である。図１６Ａ及び図１６Ｂは、図１５のタイミング図による有機発光素子の両面発光を示す図面である。
【０１０６】
図１５及び図１６Ａ及び図１６Ｂを参照すれば、スキャンラインＳＬｉ（図２）からスキャン信号Ｓｉが供給されるとき、スイッチング薄膜トランジスタＴＲｓ（図２）は、ターンオンされ、データラインＤＬｊ（図２）から供給されるデータ信号ＤｊをストレージキャパシタＣｓｔ（図２）に供給する。
【０１０７】
このとき、第１電源電圧Ｖ１は、第１電圧Ｖ１１と第２電圧Ｖ１２とを相互にスイングし、第２電源電圧Ｖ２は、第３電圧Ｖ２１と第４電圧Ｖ２２とを相互にスイングする。ここで、第１電源電圧Ｖ１と第２電源電圧Ｖ２は、反転信号でもある。第１電圧Ｖ１１と第３電圧Ｖ２１は、同一のレベルの電圧であり、第２電圧Ｖ１２と第４電圧Ｖ２２は、同一のレベルの電圧である。例えば、第１電圧Ｖ１１と第３電圧Ｖ２１は、０Ｖであり、第２電圧Ｖ１２と第４電圧Ｖ２２は、１２Ｖでもある。第１区間Ｔ１及び第２区間Ｔ２それぞれが１フレーム区間でもあり、または第１区間Ｔ１と第２区間Ｔ２との和が１フレーム区間でもある。すなわち、第１電源電圧Ｖ１と第２電源電圧Ｖ２は、フレームごとに可変するか、あるいは１フレーム内で可変することができる。
【０１０８】
第１区間Ｔ１の間、第２電圧Ｖ１２と第３電圧Ｖ２１とが、ピクセルＰＸ（図１）に印加されれば、第１有機発光素子ＯＬＥＤ１は、順方向バイアスされ、第２有機発光素子ＯＬＥＤ２は、逆方向バイアスされる。駆動薄膜トランジスタＴＲｄ（図２）は、ストレージキャパシタＣｓｔ（図２）に保存された電圧値に対応し、第１有機発光素子ＯＬＥＤ１を経由し、第２電圧Ｖ１２と第３電圧Ｖ２１との間で流れる電流量を制御し、それにより、図１６Ａに図示されているように、第１有機発光素子ＯＬＥＤ１が発光する。
【０１０９】
第２区間Ｔ２で、第１電源電圧Ｖ１は、第２電圧Ｖ１２から第１電圧Ｖ１１に遷移し、第２電源電圧Ｖ２は、第３電圧Ｖ２１から第４電圧Ｖ２２に遷移する。第２区間Ｔ２の間、第１電圧Ｖ１１と第４電圧Ｖ２２とがピクセルＰＸ（図１）に印加されれば、第１有機発光素子ＯＬＥＤ１は、逆方向バイアスされ、第２有機発光素子ＯＬＥＤ２は、順方向バイアスされる。駆動薄膜トランジスタＴＲｄ（図２）は、ストレージキャパシタＣｓｔ（図２）に保存された電圧値に対応し、第２有機発光素子ＯＬＥＤ２を経由し、第１電圧Ｖ１１と第４電圧Ｖ２２との間で流れる電流量を制御し、それにより、図１６Ｂに図示されているように、第２有機発光素子ＯＬＥＤ２が発光する。
【０１１０】
１つの電源電圧だけ可変する図７及び図１１に図示された実施形態に比べ、２つの電源電圧をいずれも可変する図１５に図示された実施形態の場合、データ信号の範囲（ｒａｎｇｅ）を狭めることができ、スキャン信号の電圧が低下する。従って、駆動回路の電力消耗を減らし、表示装置の寿命を延長させることができる。
【０１１１】
図１７Ａ及び図１７Ｂは、本発明の他の実施形態による図５の有機発光素子が、図１５のタイミング図によって両面発光するところを示す図面である。
【０１１２】
図１５及び図１７Ａを参照すれば、第１区間Ｔ１の間、上部電極ＴＥと下部電極ＢＥとに、第２電圧Ｖ１２が第１電源電圧Ｖ１として印加され、共通電極ＣＥに第３電圧Ｖ２１が、第２電源電圧Ｖ２として印加される。それにより、上部電極ＴＥと共通電極ＣＥとの間に形成される第２有機発光素子ＯＬＥＤ２は、逆方向バイアスされ、下部電極ＢＥと共通電極ＣＥとの間に形成される第１有機発光素子ＯＬＥＤ１は、順方向バイアスされる。従って、第１有機発光素子ＯＬＥＤ１の下部電極ＢＥは、正孔注入電極として機能し、共通電極ＣＥは、電子注入電極として機能する。
【０１１３】
第１有機発光素子ＯＬＥＤ１の共通電極ＣＥから、電子注入層２５ａ、電子輸送層２４ａを介して電子が注入され、下部電極ＢＥから、正孔注入層２１ａ、正孔輸送層２２ａを介して正孔が注入される。注入された電子と正孔とが発光層２３ａで結合して励起子を形成し、形成された励起子からのエネルギーによって光が生じる。共通電極ＣＥは、反射電極であるので、生じた光は、下部電極ＢＥ側（前面）に放出される。
【０１１４】
図１５及び図１７Ｂを参照すれば、第２区間Ｔ２の間、上部電極ＴＥと下部電極ＢＥとに、第１電圧Ｖ１１が第１電源電圧Ｖ１として印加され、共通電極ＣＥに、第４電圧Ｖ２２が第２電源電圧Ｖ２として印加される。それにより、上部電極ＴＥと共通電極ＣＥとの間に形成される第２有機発光素子ＯＬＥＤ２は、順方向バイアスされ、下部電極ＢＥと共通電極ＣＥとの間に形成される第１有機発光素子ＯＬＥＤ１は、逆方向バイアスされる。従って、第２有機発光素子ＯＬＥＤ２の上部電極ＴＥは、前著注入電極として機能し、共通電極ＣＥは、正孔注入電極として機能する。
【０１１５】
第２有機発光素子ＯＬＥＤ２の上部電極ＴＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合して励起子を形成し、形成された励起子からのエネルギーによって光が生じる。共通電極ＣＥは、反射電極であるので、生じた光は、上部電極ＴＥ側（背面）に放出される。
【０１１６】
すなわち、本発明の実施形態は、有機発光素子ＯＬＥＤに印加される第１電源電圧Ｖ１と第２電源電圧Ｖ２とを可変し、相互に前面発光と背面発光とを制御することにより、両面で画像を具現することができる。
【０１１７】
図１８Ａ及び図１８Ｂは、本発明の他の実施形態による図６の有機発光素子が、図１５のタイミング図によって両面発光するところを示す図面である。
【０１１８】
図１５及び図１８Ａを参照すれば、第１区間Ｔ１の間、上部電極ＴＥと下部電極ＢＥとに、第２電圧Ｖ１２が第１電源電圧Ｖ１として印加され、共通電極ＣＥに、第３電圧Ｖ２１が第２電源電圧Ｖ２として印加される。それにより、上部電極ＴＥと共通電極ＣＥとの間に形成される第１有機発光素子ＯＬＥＤ１は、順方向バイアスされ、下部電極ＢＥと共通電極ＣＥとの間に形成される第２有機発光素子ＯＬＥＤ２は、逆方向バイアスされる。従って、第１有機発光素子ＯＬＥＤ１の上部電極ＴＥは、正孔注入電極として機能し、共通電極ＣＥは、電子注入電極として機能する。
【０１１９】
第１有機発光素子ＯＬＥＤ１の共通電極ＣＥから、電子注入層２５ａ、電子輸送層２４ａを介して電子が注入され、上部電極ＴＥから正孔注入層２１ａ、正孔輸送層２２ａを介して正孔が注入される。注入された電子と正孔とが発光層２３ａで結合して励起子を形成し、形成された励起子からのエネルギーによって光が生じる。共通電極ＣＥは、反射電極であるので、生じた光は、上部電極ＴＥ側（背面）に放出される。
【０１２０】
図１５及び図１８Ｂを参照すれば、第２区間Ｔ２の間、上部電極ＴＥと下部電極ＢＥとに、第１電圧Ｖ１１が第１電源電圧Ｖ１として印加され、共通電極ＣＥに、第４電圧Ｖ２２が第２電源電圧Ｖ２として印加される。それにより、上部電極ＴＥと共通電極ＣＥとの間に形成される第１有機発光素子ＯＬＥＤ１は、逆方向バイアスされ、下部電極ＢＥと共通電極ＣＥとの間に形成される第２有機発光素子ＯＬＥＤ２は、順方向バイアスされる。従って、第２有機発光素子ＯＬＥＤ２の下部電極ＢＥは、電子注入電極として機能し、共通電極ＣＥは、正孔注入電極として機能する。
【０１２１】
第２有機発光素子ＯＬＥＤ２の下部電極ＢＥから、電子注入層２５ｂ、電子輸送層２４ｂを介して電子が注入され、共通電極ＣＥから、正孔注入層２１ｂ、正孔輸送層２２ｂを介して正孔が注入される。注入された電子と正孔とが発光層２３ｂで結合して励起子を形成し、形成された励起子からのエネルギーによって光が生じる。共通電極ＣＥは、反射電極であるので、生じた光は、下部電極ＢＥ側（前面）に放出される。
【０１２２】
すなわち、本発明の実施形態は、有機発光素子ＯＬＥＤに印加される第１電源電圧Ｖ１と第２電源電圧Ｖ２とを可変し、相互に前面発光と背面発光とを制御することにより、両面で画像を具現することができる。
【０１２３】
図１９は、本発明の実施形態による両面発光と、比較例による両面発光とについて説明する図面である。
【０１２４】
左側の比較例は、アノード電極及びカソード電極、並びにアノード電極及びカソード電極の間に有機発光層を有する一般的な有機発光素子を含むディスプレイ装置で、電極の透過度を調節して両面発光する場合である。その場合、両面で画像が具現されるが、それは、前面ＦＳ方向での発光方向を、単純に背面ＢＳ方向に変えたものであり、前面ＦＳと背面ＢＳとの画像が反転されて情報伝達が不可能である。
【０１２５】
一方、右側の本発明の実施形態による両面発光は、発光層を含む有機層を二重に積層し、上下部電極間に中間電極を具備し、電源電圧の可変により、１つのピクセルで、前面ＦＳと背面ＢＳとの発光が時分割で具現される。それにより、前面ＦＳと背面ＢＳとの画像が反転なく、情報伝達が可能である。
【０１２６】
本発明は、単一ピクセルで、二重に有機層を積層し、中間電極を利用して、入力信号により、同一ピクセルで前面及び背面の発光を制御し、単一ピクセルで、前面及び背面の画像を異なるように提供することができる両面ディスプレイを具現することができる。
【０１２７】
前述の実施形態では、２つの薄膜トランジスタ及び１つのキャパシタを含むピクセルを例として説明したが、本発明は、それに限定されるものではなく、本発明の積層構造を有する有機発光素子を含む複数の薄膜トランジスタ、及び複数のキャパシタを含むピクセルに適用することができるということは、言うまでもない。
【０１２８】
本明細書では、本発明を限定された実施形態を中心に説明したが、本発明の範囲内で多様な実施形態が可能である。また、説明されてはいないが、均等な手段もまた、本発明にそのまま結合されるものであると言える。従って、本発明の真の保護範囲は、特許請求の範囲によって決まるものである。
【産業上の利用可能性】
【０１２９】
本発明の有機発光素子、それを含む有機発光表示装置、及び有機発光素子を両面発光制御する方法は、例えば、情報表示関連の技術分野に効果的に適用可能である。
【符号の説明】
【０１３０】
１０        有機発光表示装置
１００        ディスプレイパネル
２００        スキャンドライバ
３００        データドライバ
４００        制御部
５００        電源供給部
ＴＥ        上部電極
ＢＥ        下部電極
ＦＳ        前面
ＢＳ        背面
ＯＬＥＤ        有機発光素子
【図１】
2014120475.tif 000003
【図２】
2014120475.tif 000004
【図３】
2014120475.tif 000005
【図４】
2014120475.tif 000006
【図５】
2014120475.tif 000007
【図６】
2014120475.tif 000008
【図７】
2014120475.tif 000009
【図８Ａ】
2014120475.tif 000010
【図８Ｂ】
2014120475.tif 000011
【図９Ａ】
2014120475.tif 000012
【図９Ｂ】
2014120475.tif 000013
【図１０Ａ】
2014120475.tif 000014
【図１０Ｂ】
2014120475.tif 000015
【図１１】
2014120475.tif 000016
【図１２Ａ】
2014120475.tif 000017
【図１２Ｂ】
2014120475.tif 000018
【図１３Ａ】
2014120475.tif 000019
【図１３Ｂ】
2014120475.tif 000020
【図１４Ａ】
2014120475.tif 000021
【図１４Ｂ】
2014120475.tif 000022
【図１５】
2014120475.tif 000023
【図１６Ａ】
2014120475.tif 000024
【図１６Ｂ】
2014120475.tif 000025
【図１７Ａ】
2014120475.tif 000026
【図１７Ｂ】
2014120475.tif 000027
【図１８Ａ】
2014120475.tif 000028
【図１８Ｂ】
2014120475.tif 000029
【図１９】
2014120475.tif 000030